(57)【要約】      （修正有）【課題】使用可能な足の大きさの範囲を大きくし、また、鼻緒の取り替えを可能にして、衣装的変化を楽しめるサンダルを提供する。【解決手段】左右一対の基台２と、基台上に取り付けられて、この基台を使用者の足Ｆに止める鼻緒３と、この鼻緒を基台に固定する連結部材４とを備え、連結部材が、基台の前部および載置される足の両側部に位置する部位の三箇所に、基台の上面に突出して設けられてなり、これらの連結部材の上端部に、鼻緒が挿通される装着孔４ａが形成されている。鼻緒が、スカーフ等の装飾品であることが好ましい。【選択図】図２
0003193060.tif 000002
【実用新案登録請求の範囲】
【請求項１】
使用者の各足が載置される左右一対の基台と、前記基台上に取り付けられて、この基台を前記使用者の足に止める鼻緒と、この鼻緒を前記基台に固定する連結部材とを備え、前記連結部材が、前記基台の前部および載置される足の両側部に位置する部位の三箇所に、前記基台の上面に突出して設けられてなり、これらの連結部材の上端部に、前記鼻緒が挿通される装着孔が形成されていることを特徴とするサンダル。
【請求項２】
前記鼻緒が、スカーフ等の装飾品であることを特徴とする請求項１に記載のサンダル。
【考案の詳細な説明】
【技術分野】
【０００１】
本考案は、足全体を包まず、紐等で足に止めるようにしたサンダルに関するものである。
【背景技術】
【０００２】
一般に、通気性が良く利便性の高い履き物としてサンダルが用いられており、このサンダルは、足が載置される基台に鼻緒を取り付け、この鼻緒によって前記基台を足に止めるようにしている。
【０００３】
そして、前記鼻緒は一対設けられ、それぞれの一端部が、前記基台に載せられる足の親指と人差し指の間において前記基台に固定され、かつ、それぞれの他端部が、前記基台の中央部から後部にかけた両側部に固定され、これら一対の鼻緒と前記基台とで形成される一対の空間部に前記足を入れることにより、この足に前記基台を止めるようにしている。
【０００４】
ところで、このようなサンダルにあっては、前記基台と鼻緒が一体化されており、これらによって形成される前記空間部が一定であることから、この空間部の大きさによって、履くことのできる足の大きさが決まってしまう。
【０００５】
したがって、多くの人に利用してもらうためには、足の大きさに応じて、長さの異なる鼻緒を備えたサンダルを、複数種類用意する必要がある。
【０００６】
このような不具合に対応するために、従来では、たとえば特許文献１に示される技術が提案されている。
【０００７】
この技術は、基台の前部に、使用者の親指と人差し指との間に位置させられる係止部材を設けておくとともに、一対の鼻緒の一端部を、前記基台の中央から後方で、使用者の足の両側部に位置する部位に固定したものである。
【０００８】
そして、使用に当たっては、使用者は、その足を前記基台に、その足の親指と人差し指の間に前記係止部材を挟み込むようにして載せ、ついで、前記各鼻緒の他端部を、足の各側部から甲に沿わせるように引き回した後に、前記係止部材に結びつけることによって、前記基台と足とを固定する。
【０００９】
この技術により、前記足を止めるための、前記鼻緒の一端部から前記各係止部材に至る間の長さを自由に変えることができる。
したがって、使用者の足の大きさに応じた前記鼻緒の長さ調整が可能となり、一つのサンダルを、足の大きさの異なる多くの使用者において使用できるようになった。
【先行技術文献】
【特許文献】
【００１０】
【特許文献１】実公平１−１８００５号公報
【考案の概要】
【考案が解決しようとする課題】
【００１１】
しかしながら、前述した従来の技術にあっては、鼻緒の長さを使用者の足に合わせて調整する点において利便性を有するが、前述した二本の鼻緒がその一端部において前記基台に固定されていることから、前記鼻緒の長さが一定であり、その長さの範囲でしか寸法調整ができないといった改善点が残されている。
【００１２】
また、前記気体を鼻緒が一体であることから、この鼻緒を取り替えることができず、見た目が固定されてしまい、たとえば、衣装に合わせて鼻緒を取り替えるといったことができない。
あるいは、鼻緒が切れてしまった際に、その取り替えができないといった不具合も残されている。
【００１３】
本考案は、前述した従来の技術において残されている問題点に鑑みてなされたもので、使用可能な足の大きさの範囲を大きくし、また、鼻緒の取り替えを可能にして、衣装的変化を楽しめるサンダルを提供することを課題とする。
【課題を解決するための手段】
【００１４】
本考案のサンダルは、前述した課題を解決するために、使用者の各足が載置される左右一対の基台と、前記基台上に取り付けられて、この基台を前記使用者の足に止める鼻緒と、この鼻緒を前記基台に固定する連結部材とを備え、前記連結部材が、前記基台の前部および載置される足の両側部に位置する部位の三箇所に、前記基台の上面に突出して設けられてなり、これらの連結部材の上端部に、前記鼻緒が挿通される装着孔が形成されていることを特徴とする。
【００１５】
このように構成された本考案のサンダルは、前記基台と前記鼻緒は、個別に用意され、前記基台に対して任意に選択された鼻緒が用いられる。
【００１６】
そして、前記選択された鼻緒を、その一端部から前記基台の前部に設けられている連結部材の装着孔に挿入した後に、その各端部を、他の一対の連結部材の装着孔に挿入することによって、この鼻緒が前記基台に装着される。
【００１７】
したがって、使用者は、任意の好みの鼻緒を用いることができ、サンダルの意匠を自由に変えることができる。
【００１８】
一方、前述したように、前記鼻緒を前記基台に装着した状態において、前部の連結部材と他の一対の連結部材との間に、前記鼻緒と前記基台上面とで囲まれた２つの空間部が形成される。
【００１９】
使用者は、その足を、前記基台に載せた状態で前方へ移動させて、その親指を前記一方の空間部に滑り込ませ、残余の指を前記他方の空間部に滑り込ませることにより、前記親指と人差し指の間に、前記前方の連結部材若しくはこの連結部材に挿入された鼻緒を挟み込む。
【００２０】
この状態において、前記一方の空間部を形成する前記鼻緒の一部が、前記足の甲の、前記足の親指の付け根から足首の一側近傍に至る部位に重畳させられ、また、前記他方の空間部を形成する前記鼻緒の一部が、前記足の甲の、前記足の人差し指の付け根から足首の他側近傍に至る部位に重畳させられ、さらに、前記他の一対の連結部材に挿通された鼻緒の両端部が、前記足首の両側に位置させられる。
【００２１】
これより、前記鼻緒の両端部を、前記他方の一対の連結部材において上方へ折り返し、この折り返した部分を前記足の足首の前方にて結び合わせることによって相互に連結する。
これによって、前記基台が、前記鼻緒によって足に装着される。
【００２２】
また、使用中に前記鼻緒が切れてしまった場合には、この切れた鼻緒を、前記各連結部材から引き抜いて取り外し、他の鼻緒を装着することによって、容易に対応することができる。
【００２３】
そして、前記鼻緒として、携帯して用いられるハンカチあるいはスカーフ等の装飾品を用いることが可能であり、これによって、前述したように鼻緒が切れてしまった際の対応をさらに容易にすることができる。
【００２４】
また、前述した装飾品は、使用者の好みによって選ばれるものであるから、サンダルの意匠も、使用者の好みに合わせることができる。
【考案の効果】
【００２５】
本考案のサンダルによれば、個別に用意された基台と鼻緒を用いてサンダルを構成するようにしたから、鼻緒の交換を可能にして、意匠の変更を容易なものとし、あるいは、鼻緒が切れた際の迅速な対応を可能にし、また、使用者の異なる大きさの足に容易に対応することができる。
【図面の簡単な説明】
【００２６】
【図１】本考案の一実施形態を示す分解斜視図である。
【図２】本考案の一実施形態を示すもので、基台に鼻緒を装着した状態を示す斜視図である。
【図３】本考案の一実施形態を示すもので、サンダルを足に止め付けた状態を示す斜視図である。
【図４】本考案の一実施形態を示すもので、サンダルを足に止め付けた他の状態を示す斜視図である。
【図５】本考案の一実施形態を示すもので、連結部材の拡大正面図である。
【図６】本考案の一実施形態を示すもので、他の使用状態を示す斜視図である。
【考案を実施するための形態】
【００２７】
以下、本考案の一実施形態を図１ないし図５を参照して説明する。
これらの図において、符号１は、本実施形態に係わるサンダルを示し、使用者の足（Ｆ）が載せられる基台２と、この基台２を前記足（Ｆ）に止め付けるための鼻緒３とによって構成されている。
【００２８】
前記基台２には、前記足Ｆの親指（ａ）と人差し指（ｂ）との付け根部分が位置させられる部位、および、前記基台２の踵に近い部位の両側縁部に、前記鼻緒３を前記基台２に装着するための連結部材４がそれぞれ取り付けられている。
【００２９】
これらの連結部材４は、前記基台２の上方に突出して設けられており、これらの突出端部に、前記鼻緒３が挿通される装着孔４ａがそれぞれ形成されている。
【００３０】
本実施形態においては、前記鼻緒３にスカーフが用いられており、これに代えて紐状のものや、バンダナ等の他の装飾品を用いることができる。
図示例では、サンダル１の左足部分のみ示してあるが、右足部分は、左足部分と対称に構成されて、基本的な構造は同一であるため、図示および説明を省略した。
【００３１】
このように構成されたサンダル１は、前記鼻緒３を、図１に矢印で示すように、その一端部を、踵側の一方の連結部材４の装着孔４ａへ挿入した後に、前部の連結部材４の装着孔４ａへ挿入し、さらに、踵側の他方の連結部材４の装着孔４ａへ挿入することにより、図２に示すように、前記鼻緒３が前記基台２に取り付けられて使用可能な状態となされる。
【００３２】
この状態において、前記前方の連結部材４の後方両側に、前記基台２の上面と前記鼻緒３の一部とで空間部Ｘ・Ｙが形成される。
【００３３】
そして、使用に当たっては、前記基台２上に、図２に鎖線で示すように、足Ｆを載せるとともに、この足Ｆを前方に移動させて、その親指ａを一方の空間部Ｘに挿入し、また、人差し指ｂとその他の中指ｃ、薬指ｄ、小指ｅを、他法の空間部Ｙに挿入して、前記親指ａと人差し指ｂとの間に前記前方の連結部材４を挟み込む。
【００３４】
ここで、前記後方の一対の連結部材４が、前記足Ｆの踵近傍の両側部に位置させられる。
【００３５】
これより、前記鼻緒３の両端部を、前記後方の一対の連結部材４を中心として上方へ折り返し、これらの端部を、前記足Ｆの足首前方付近で結びつけることにより、図３に示すように、前記鼻緒３によって、前記基台２が前記足Ｆに止め付けられる。
【００３６】
ここで、前記鼻緒３を、前記踵側の一対の連結部材４に対して滑らすことにより、前記鼻緒３の、前記前方の連結部材４と踵側の連結部材４との間に位置する部分の長さを容易に調整することができる。
【００３７】
したがって、前記空間部Ｘ・Ｙの大きさを自由に設定することができるので、装着される足の大きさの制限を大幅に緩和することができる。
【００３８】
一方、たとえば、着衣を変えた際に、その変化に対応して前記サンダル１の雰囲気を変えたい場合が生じる。
【００３９】
その際には、既に装着されている前記鼻緒３を取り外した後に、着衣に合わせた色や模様を有する鼻緒３を取り付けることによって対応することができる。
【００４０】
ここで、前記鼻緒３は、前記連結部材４の装着孔４ａに挿入するのみで装着できるので、前記装着孔４ａに挿入可能で、かつ、ある程度の長さを有するものであれば制限なく使用可能であり、多様なアレンジが可能である。
【００４１】
そして、本実施形態では、前記鼻緒３の両端部を、前記基台２の踵側に引き出して装着していることにより、この鼻緒３の両端部を、図４に示すように、前記足Ｆの足首周りに巻き付けて固定したり、その結び目を前記足Ｆの側部に設けて視覚的な変化を与えることも可能である。
【００４２】
また、前記鼻緒３が十分に長い場合、この鼻緒３を足首の上方まで、たとえば、ふくらはぎを取り囲むように巻き付けて装着することもできる。
【００４３】
そして、前述した鼻緒３の取り替えは、この鼻緒３が切れた場合にも同様の手順で行なわれる。
【００４４】
なお、前記実施形態において示した各構成部材の諸形状や寸法等は一例であって設計要求等に基づき種々変更可能である。
【００４５】
たとえば、前記連結部材４として、第５図に示すように、前記装着孔４ａを上端部に備えた脚部４ｂの下端部に鍔部４ｃを一体に設けた構成とし、前記装着孔４ａおよび脚部４ｂを前記基台２の下部から上方へ向けて貫通させ、前記鍔部４ｃを前記基台２の下部に係合させることによって固定するようにしても良い。
【００４６】
また、前記前部の連結部材４に挿通させた前記鼻緒３を、この連結部材４を取り囲むようにして結び目を形成しておくこともできる。
これによって、前記鼻緒３の位置ずれを抑制することができる。
【００４７】
さらに、図６に示すように、前記鼻緒３の各端部を、踵側に設けられている前記一対の連結部材４のそれぞれに挿通させた後に、その両端部を前記前方の連結部材４において結ぶようにしても良い。
【符号の説明】
【００４８】
１  サンダル
２  基台
３  鼻緒
４  連結部材
４ａ  装着孔
４ｂ  脚部
４ｃ  鍔部
ａ  親指
ｂ  人差し指
ｃ  中指
ｄ  薬指
ｅ  小指
Ｆ  足
【図１】
0003193060.tif 000003
【図２】
0003193060.tif 000004
【図３】
0003193060.tif 000005
【図４】
0003193060.tif 000006
【図５】
0003193060.tif 000007
【図６】
0003193060.tif 000008